(57)【要約】【課題】レンズを大径にすることなく、かつ、レンズの光学性能を低下させることなくレンズをレンズ枠に取り付けることができるレンズの取付構造を提供する。【解決手段】レンズ枠６への第１レンズ２の第１取付構造２０は、第１レンズ２はレンズ枠６の第１レンズ保持部８内に配置され、第１レンズ２の結像側の面及び外周面が第１レンズ保持部８により支持されており、第１レンズ２の被写体側の面の縁には全周にわたって面取りが施されて面取部２Ａ２が形成されており、面取部２Ａ２の一部に当接するように第１弾性体１４が配置されており、第１レンズ２との間に第１弾性体１４を挟み込んだ状態で、第１レンズ２に当接することなく、第１弾性体１４を介して第１レンズ２を押える先端部８Ｃが設けられている。【選択図】図２
2020187218.tif 000002
【特許請求の範囲】
【請求項１】
レンズ枠へのレンズの取付構造であって、
前記レンズは前記レンズ枠のレンズ保持部内に配置され、前記レンズの結像側の面及び外周面の少なくとも一部が前記レンズ保持部により支持されており、
前記レンズの被写体側の面の縁には全周にわたって面取りが施されて面取部が形成されており、
前記面取部の少なくとも一部に当接するように弾性体又は接着剤が配置されており、
前記レンズとの間に前記弾性体又は接着剤を挟み込んだ状態で、前記レンズに当接することなく前記弾性体又は接着剤を介して前記レンズを押える押え構造が設けられている、ことを特徴とする、レンズの取付構造。
【請求項２】
前記レンズ枠には、半径方向内方に向かって突出し、前記レンズの外周面に当接する複数の半径方向補正部が周方向に間隔をあけて形成されており、
前記弾性体又は接着剤は、周方向に隣接する前記半径方向補正部の間を延び、かつ、当該周方向に隣接する前記半径方向補正部の両方と少なくとも部分的にオーバーラップするように配置されている、
請求項１に記載のレンズ取付構造。
【請求項３】
前記弾性体又は接着剤は前記レンズの前記面取り部の全周にわたって当接するように配置されている、
請求項１に記載のレンズ取付構造。
【請求項４】
前記押え構造は、前記レンズ枠の被写体側の縁部が前記弾性体に当接するようにかしめ加工されたかしめ部を含み、当該かしめ部が前記弾性体又は接着剤を介して前記レンズを押える、
請求項１から３のいずれか１項に記載のレンズ取付構造。
【請求項５】
前記押え構造は、前記弾性体に前記被写体側から当接するように前記レンズ枠に取り付けられたレンズ押え部材を含み、当該レンズ押え部材が前記弾性体又は接着剤を介して前記レンズを押える、
請求項１から３のいずれか１項に記載のレンズ取付構造。
【請求項６】
レンズと、
請求項１から５の何れか１項に記載のレンズ取付構造により前記レンズが取り付けられたレンズ枠と、を備えたレンズユニット。
【発明の詳細な説明】
【技術分野】
【０００１】
本発明は、レンズの取付構造、及び、レンズユニットに関する。
【背景技術】
【０００２】
カメラなどのレンズは、レンズ鏡筒に設けられた円環状のレンズ枠に保持されている。レンズのレンズ枠への取付構造として、例えば、特許文献１には、レンズ保持枠の内周面に凹部を形成しておき、この凹部に接着剤を予め塗布しておき、レンズ保持枠にレンズを取り付けた後、レンズ保持枠の先端部分をかしめ加工してレンズの被写体側の面の周囲に沿うように変形させて、レンズを取り付ける構成が開示されている。
【０００３】
また、例えば、特許文献２には、レンズの外周面の被写体側の部分に結像側の部分と比べて一段小径に形成された防水部材配置部を設け、この防水部材配置部にＯリングを配置し、Ｏリングを取り付けたレンズをレンズ枠に取り付け、レンズ枠をＯリングの被写体側に押圧するようにかしめ加工した取付構造が開示されている。
【先行技術文献】
【特許文献】
【０００４】
【特許文献１】特開平１０−９６８４２号公報
【特許文献２】特開２００９−２８２０７１号公報
【発明の概要】
【発明が解決しようとする課題】
【０００５】
しかしながら、特許文献１に記載された取付構造では、かしめ加工の際にレンズ保持枠の先端部分を冶具により加熱しながら押圧してレンズ枠を溶かして変形させてレンズを固定しているため、冶具の押圧力が強いとレンズの光学機能面に変形が起こってしまい、逆に、冶具の押圧力が弱いとレンズ浮きやガタが生じ、光学性能が低下してしまう。
【０００６】
また、特許文献２に記載された取付構造では、レンズの外周部に防水部材配置部を設けなければならず、レンズが大径になり、これにともないレンズ鏡筒も大径になってしまう。
【０００７】
本発明は上記の課題に鑑みなされたものであり、その目的は、レンズを大径にすることなく、かつ、レンズの光学性能を低下させることなくレンズをレンズ枠に取り付けることができるレンズの取付構造を提供することである。
【課題を解決するための手段】
【０００８】
本発明のレンズの取付構造は、レンズ枠へのレンズの取付構造であって、レンズはレンズ枠のレンズ保持部内に配置され、レンズの結像側の面及び外周面の少なくとも一部がレンズ保持部により支持されており、レンズの被写体側の面の縁には全周にわたって面取りが施されて面取部が形成されており、面取部の少なくとも一部に当接するように弾性体又は接着剤が配置されており、レンズとの間に弾性体又は接着剤を挟み込んだ状態で、レンズに当接することなく、弾性体又は接着剤を介してレンズを押える押え構造が設けられている、ことを特徴とする。
【０００９】
本発明のレンズユニットは、レンズと、上記のレンズ取付構造によりレンズが取り付けられたレンズ枠と、を備える。
【００１０】
上記構成の本発明によれば、押え構造が、レンズとの間に弾性体又は接着剤を挟み込んだ状態で、レンズに直接当接することなく、弾性体又は接着剤を介してレンズを押える。このため、弾性体又は接着剤により押え構造の押圧力が吸収され、レンズの光学性能が損なわれることがなく、十分な力で押圧することができる。また、面取り部において押圧しているため、レンズに弾性体又は接着剤を当接するための部位を設ける必要がなく、レンズ鏡筒を大径にする必要がない。
【発明の効果】
【００１１】
本発明によれば、レンズを大径にすることなく、かつ、レンズの光学性能を低下させることなくレンズをレンズ枠に取り付けることができるレンズの取付構造を提供することができる。
【図面の簡単な説明】
【００１２】
【図１】本発明の第１実施形態によるレンズユニットを示す斜視図である。
【図２】図１に示すレンズユニットの縦断面図である。
【図３Ａ】図２におけるＡ部の拡大図である。
【図３Ｂ】図２におけるＢ部の拡大図である。
【図４Ａ】図１に示すレンズユニットのレンズ枠を示す被写体側から見た斜視図である。
【図４Ｂ】図１に示すレンズユニットのレンズ枠を示す被写体側の図３Ａとは異なる方向から見た斜視図である。
【図４Ｃ】図１に示すレンズユニットのレンズ枠を示す正面図である。
【図４Ｄ】図４ＢのＤ部を拡大した拡大斜視図である。
【図５】図１に示すレンズユニットにおける第１取付構造の第１弾性体を示す斜視図である。
【図６Ａ】図１に示すレンズユニットの組み立て方法を説明するための拡大断面図（その１）である。
【図６Ｂ】図１に示すレンズユニットの組み立て方法を説明するための拡大断面図（その２）である。
【図６Ｃ】図１に示すレンズユニットの組み立て方法を説明するための拡大断面図（その３）である。
【図７】本発明の第２実施形態によるレンズユニットを示す斜視図である。
【図８Ａ】図７に示すレンズユニットの部分縦断面図である。
【図８Ｂ】図８ＡにおけるＢ部の拡大図である。
【図９】図７に示すレンズユニットに用いられるレンズ押え部材を示す斜視図である。
【図１０】本発明の第３実施形態によるレンズユニットを示す斜視図である。
【図１１】図１０に示すレンズユニットの部分縦断面図である。
【図１２】本発明の第４実施形態によるレンズユニットを示す斜視図である。
【図１３】図１２に示すレンズユニットの部分縦断面図である。
【図１４】図１２に示すレンズユニットにおける第１レンズ押え部材を示す斜視図である。
【発明を実施するための形態】
【００１３】
（第１実施形態）
以下、本発明の第１実施形態のレンズの取付構造によりレンズがレンズ枠に取り付けられたレンズユニットについて図面を参照しながら、詳細に説明する。
図１は、本発明の第１実施形態によるレンズユニットを示す斜視図であり、図２は、図１に示すレンズユニットの縦断面図である。また、図３Ａ及び図３Ｂは、それぞれ図２におけるＡ部及びＢ部の拡大図である。図１及び図２に示すように、本実施形態のレンズユニット１は、レンズ枠６と、レンズ枠６の被写体側に取り付けられた第１レンズ２と、レンズ枠６の被写体側に取り付けられた第２レンズ４と、を備える。本実施形態のレンズユニットは、例えば、レンズ鏡筒や撮像器に取りけられて光学系を構成するものである。第１レンズ２及び第２レンズ４は、第１取付構造２０及び第２取付構造２２によりレンズ枠６に取り付けられている。
【００１４】
第１レンズ２は、光軸を中心とした回転体形状である。第１レンズ２の被写体側の面２Ａは凸面であり、光学面として機能する光学機能面２Ａ１と、光学機能面２Ａ１の周囲を取り囲み、被写体側の面２Ａの縁全周にわたって設けられた面取り部２Ａ２と、を含む。光学機能面２Ａ１は、被写体側に向かって突出する湾曲面により構成され、面取り部２Ａ２は、半径方向外方に向かって結像側に傾斜する傾斜面により構成される。第１レンズ２の結像側の面２Ｂは凸面であり、光学面として機能する光学機能面２Ｂ１と、光学機能面２Ｂ１の周囲を取り囲む円環状の平坦面部２Ｂ２と、を含む。光学機能面２Ｂ１は、結像側に向かって突出する湾曲面により構成され、平坦面部２Ｂ２は光軸に垂直な円環状の面により構成される。なお、光学機能面２Ａ１及び光学機能面２Ｂ１の形状は、凸形状に限定されず、凹形状であってもよい。
【００１５】
第２レンズ４は、光軸を中心とした回転体形状である。第２レンズ４の被写体側の面２Ａは凹面であり、光学面として機能する光学機能面４Ａ１と、光学機能面２Ａ１の周囲を取り囲む円環状の平坦面部４Ａ２と、平坦面部４Ａ２を取り囲み被写体側の面４Ａの縁の全周にわたって設けられた面取り部４Ａ３と、を含む。光学機能面４Ａ１は、結像側に向かって凹む湾曲面により構成され、平坦面部Ａ２は光軸に垂直な円環状の面により構成され、面取り部４Ａ３は半径方向外方に向かって結像側に傾斜する傾斜面により構成される。第２レンズ４の結像側の面４Ｂは凸面であり、光学面として機能する光学機能面４Ｂ１と、光学機能面４Ｂ１の周囲を取り囲む円環状の平坦面部４Ｂ２と、を含む。光学機能面４Ｂ１は結像側に向かって突出する湾曲面により構成され、平坦面部４Ｂ２は光軸に垂直な円環状の面により構成される。なお、光学機能面４Ａ１の形状は凹形状に限定されず、凸形状であってもよく、また、光学機能面２Ｂ１の形状は、凸形状に限定されず、凹形状であってもよい。
【００１６】
図４Ａ〜図４Ｄは、図１に示すレンズユニットのレンズ枠を示し、図４Ａは被写体側から見た斜視図、図４Ｂは被写体側の図３Ａとは異なる方向から見た斜視図、図４Ｃは正面図、図４Ｄは図４ＢのＤ部を拡大した拡大斜視図である。
図４Ａ〜図４Ｄに示すように、レンズ枠６は、第１レンズ２を保持する第１レンズ保持部８と、第２レンズ４を保持する第２レンズ保持部１０と、第１レンズ保持部８と第２レンズ保持部１０とを連結する連結部１２と、を備える。第１レンズ保持部８と、第２レンズ保持部１０と、連結部１２とは、例えば、樹脂などにより一体に成形されている。
【００１７】
第１レンズ保持部８は円筒状に形成された第１円筒部８Ａと、第１円筒部８Ａの被写体側に連続する円環状の第１座部８Ｂと、第１円筒部８Ａの内周縁に沿って被写体側に向かって立設された第１先端部（かしめ部）８Ｃと、周方向に間隔をあけて形成された３つの第１補正部８Ｄと、を含む。第１円筒部８Ａは、内径が第１レンズ２の外径よりもわずかに大きい円筒状に形成されている。第１座部８Ｂは第１円筒部８Ａの結像側の端部から半径方向内側に延出しており、第１座部８Ｂの被写体側の面は平坦面に形成されている。第１先端部８Ｃは、正面から見て円環状に形成されており、先端側が半径方向内方に向かって傾斜している。第１先端部８Ｃの厚さは、第１円筒部８Ａに比べて非常に薄くなっている。後述するように、第１先端部８Ｃは、第１レンズ２が取り付けられる前は円筒状であり、第１レンズ２が取り付けられた状態で、被写体側に向かって半径方向内方に傾斜するようにかしめ加工されることにより傾斜している。
【００１８】
各第１補正部８Ｄは、第１半径方向補正部８Ｄ１と、第１光軸方向補正部８Ｄ２とを含む。第１半径方向補正部８Ｄ１は、第１円筒部８Ａの内周面に半径方向中心に向かって突出する突部として形成されている。第１半径方向補正部８Ｄ１の半径方向内周面は、第１レンズ２の外周面と等しい直径の円弧状の面に形成されている。第１半径方向補正部８Ｄ１は、第１レンズ２の外周面に各第１半径方向補正部８Ｄ１が当接した状態で、第１レンズ２の光軸が光学設計上の光軸の位置に正確に一致するように厚さ及び位置が微調整されている。第１光軸方向補正部８Ｄ２は、第１座部８Ｂの被写体側の面に、被写体側に向かって突出する突部として形成されている。各第１半径方向補正部８Ｄ１の厚さは、第１レンズ２の光軸方向が設計上の光軸方向と完全に一致するととともに、第１レンズ２の光軸方向の位置が設計上の光軸方向の位置と完全に一致するような厚さに微調整されている。図３Ｂに示すように、第１レンズ２が第１レンズ保持部８内に配置された状態で、第１レンズ２の外周部２Ｃ及び結像側の面２Ｂの平坦面部２Ｂ２が、それぞれ、第１半径方向補正部８Ｄ１及び第１光軸方向補正部８Ｄ２に当接されることで第１レンズ２は支持されている。なお、この状態で、第１補正部８Ｄ以外の部位では、図３Ａに示すように、第１レンズ２の外周部２Ｃと第１円筒部８Ａの内周面とは当接しておらず、間に隙間が存在し、第１レンズ２の結像側の面２Ｂと第１座部８Ｂとは当接しておらず、間に隙間が存在する。
【００１９】
第２レンズ保持部１０は円筒状に形成された第２円筒部１０Ａと、第２円筒部１０Ａの被写体側に連続する円環状の第２座部１０Ｂと、第２円筒部１０Ａの内周縁に沿って被写体側に向かって立設された第２先端部１０（かしめ部）Ｃと、周方向に間隔をあけて形成された３つの第２補正部１０Ｄと、を含む。第２円筒部１０Ａは、内径が第２レンズ４の外径よりもわずかに大きい円筒状に形成されている。第２座部１０Ｂは第２円筒部１０Ａの結像側の端部から半径方向内側に延出しており、第２座部１０Ｂの被写体側の面は平坦面に形成されている。第２先端部１０Ｃは、円環状に形成されており、先端側が半径方向内側に向かって傾斜している。第２先端部１０Ｃの厚さは、第２円筒部１０Ａに比べて非常に薄くなっている。後述するように、第２先端部１０Ｃは、第２レンズ４が取り付けられる前は円筒状であり、第２レンズ４が取り付けられた状態で、被写体側に向かって半径方向内方に傾斜するようにかしめ加工されることにより傾斜している。
【００２０】
各第２補正部１０Ｄは、第２半径方向補正部１０Ｄ１と、第２光軸方向補正部１０Ｄ２とを含む。第２半径方向補正部１０Ｄ１は、第２円筒部１０Ａの内周面に半径方向中心に向かって突出する突部として形成されている。第２半径方向補正部１０Ｄ１の半径方向内周面は、第２レンズ４の外周面と等しい直径の円弧状の面に形成されている。第２半径方向補正部１０Ｄ１は、第２レンズ４の外周面に各第２半径方向補正部１０Ｄ１が当接した状態で、第２レンズ４の光軸が光学設計上の光軸の位置に正確に一致するように厚さ及び位置が微調整されている。第２光軸方向補正部１０Ｄ２は、第２座部１０Ｂの被写体側の面に、被写体側に向かって突出する突部として形成されている。各第２半径方向補正部１０Ｄ１の厚さは、第２レンズ４の光軸方向が設計上の光軸方向と完全に一致するととともに、第２レンズ４の光軸方向の位置が設計上の光軸方向の位置と完全に一致するような厚さに微調整されている。第２レンズ４が第２レンズ保持部１０内に配置された状態で、第２レンズ４の外周部４Ｃ及び結像側の面４Ｂの平坦面部４Ｂ２が、それぞれ、第２半径方向補正部１０Ｄ１及び第２光軸方向補正部１０Ｄ２に当接されることで第２レンズ４は支持されている。なお、この状態で、第２補正部１０Ｄ以外の部位では、第１補正部８Ｄ及び第１レンズ２と同様に、第２レンズ４の外周部４Ｃと第２円筒部１０Ａの内周面とは当接しておらず、間に隙間が存在し、第２レンズ４の結像側の面４Ｂと第２座部１０Ｂとは当接しておらず、間に隙間が存在する。
【００２１】
図４Ｃに示すように、第１補正部８Ｄ及び第２補正部１０Ｄは、光軸を中心として同じ角度範囲に形成されている。なお、第１座部８Ｂの形状は円環状に限定されず、例えば第１補正部８Ｄと同様に、複数の第１座部が第１円筒部８Ａの内周面に周方向に間隔をあけて形成されていてもよい。また、第２座部１０Ｂについても同様である。
【００２２】
次に、第１レンズ２をレンズ枠６の第１レンズ保持部８に取り付けるための第１取付構造２０について説明する。図２及び図３Ａに示すように、第１取付構造２０において、第１レンズ２はレンズ枠６の第１レンズ保持部８内に支持されており、第１レンズ２の面取り部２Ａ２に当接するように３つの第１弾性体１４が配置されている。そして、レンズ枠６の第１先端部８Ｃが、第１先端部８Ｃと面取り部２Ａ２との間に第１弾性体１４が挟み込まれた状態で、第１弾性体１４を介して第１レンズ２を結像側に押え込むことにより、第１取付構造２０により第１レンズ２がレンズ枠６に取り付けられている。
【００２３】
図５は、図１に示すレンズユニットにおける第１取付構造の第１弾性体を示す斜視図である。図５に示すように、各第１弾性体１４は、例えば円形断面のゴムからなり、円弧状に延びるように形成されている。第１弾性体１４の円弧の直径は、第１レンズ２の面取り部２Ａ２の直径と略等しくなっている。
【００２４】
第１弾性体１４は、図４Ｃにおける所定の角度範囲Ｗにわたって延びるように設けられている。すなわち、各第１弾性体１４は、隣接する第１補正部８Ｄの間にわたって設けられており、両端部がそれぞれ周方向に隣接する第１補正部８Ｄの形成された角度範囲に入り込んでいる。
【００２５】
図３Ａに示すように、第１レンズ保持部８の第１先端部８Ｃは、かしめ加工により被写体側に向かって半径方向内方に傾斜している。第１弾性体１４は、第１レンズ２の被写体側の面２Ａの面取り部２Ａ２と、第１レンズ保持部８の第１円筒部８Ａの内周面に当接した状態で、被写体側から第１先端部８Ｃにより半径方向内方、かつ、結像側に向かって押え込まれている。
【００２６】
ここで、図３Ａに示すように、第１補正部８Ｄ以外の角度範囲において、第１先端部８Ｃは第１弾性体１４に当接するものの、第１レンズ２には当接していない。さらに、図３Ｂに示すように、第１補正部８Ｄに当たる部分においても、第１先端部８Ｃは第１レンズ２には当接しておらず、第１先端部８Ｃと第１レンズ２の面取り部２Ａ２との間には、隙間が形成されている。このように、第１先端部８Ｃは、第１レンズ２に当接することなく、第１弾性体１４を介して第１レンズ２を押えている。
【００２７】
次に、第２レンズ４をレンズ枠６の第２レンズ保持部１０に取り付けるための第２取付構造２２について説明する。第２取付構造２２の構成は実質的に第１取付構造２０の構成と同様である。第２取付構造２２において、第２レンズ４はレンズ枠６の第２レンズ保持部１０内に支持されており、第２レンズ４の面取り部４Ａ３に当接するように３つの第２弾性体１６が配置されている。そして、レンズ枠６の第２先端部１０Ｃが、第２先端部１０Ｃと面取り部４Ａ３との間に第２弾性体１６が挟み込まれた状態で、第２弾性体１６を介して第２レンズ４を結像側に押え込むことにより、第２取付構造２２により第２レンズ４がレンズ枠６に取り付けられている。
【００２８】
各第２弾性体１６は、第１弾性体１４と同様に、例えば円形断面のゴムからなり、円弧状に延びるように形成されている。第２弾性体１６の円弧の直径は、第２レンズ４の面取り部４Ａ３の直径と略等しくなっている。
【００２９】
第２弾性体１６は、図４Ｃにおける所定の角度範囲Ｗにわたって延びるように設けられている。すなわち、各第２弾性体１６は、隣接する第２補正部１０Ｄの間にわたって設けられており、両端部がそれぞれ周方向に隣接する第２補正部１０Ｄの形成された角度範囲に入り込んでいる。
【００３０】
第２レンズ保持部１０の第２先端部１０Ｃは、第１レンズ保持部８の第１先端部８Ｃと同様に、かしめ加工により被写体側に向かって半径方向内方に傾斜している。第２弾性体１６は、第２レンズ４の被写体側の面４Ａの面取り部４Ａ３と、第２レンズ保持部１０の第２円筒部１０Ａの内周面に当接した状態で、被写体側から第２先端部１０Ｃにより半径方向内方、かつ、結像側に向かって押え込まれている。
【００３１】
第１先端部８Ｃと同様に、第２補正部１０Ｄ以外の角度範囲において、第２先端部１０Ｃは第２弾性体１６に当接するものの、第２レンズ４には当接していない。さらに、第２補正部１０Ｄに当たる部分においても、第２先端部１０Ｃは第２レンズ４には当接しておらず、第２先端部１０Ｃと第２レンズ４の面取り部４Ａ３との間には隙間が形成されている。このように、第２先端部１０Ｃは、第２レンズ４に当接することなく、第２弾性体１６を介して第２レンズ４を押えている。
【００３２】
第１実施形態によるレンズユニット１は、以下のようにして組み立てることができる。図６Ａ〜図６Ｃは、図１に示すレンズユニットの組み立て方法を説明するための拡大断面図である。レンズユニット１の組み立て前の状態において、レンズ枠６の第１レンズ保持部８の第１先端部８Ｃ及び第２レンズ保持部１０の第２先端部１０Ｃは、かしめ加工されておらず、内周面が円筒状になっている。
【００３３】
図６Ａに示すように、まず、第２レンズ４の結像側の面４Ｂの平坦面部４Ｂ２が、レンズ枠６の第２レンズ保持部１０の第２光軸方向補正部１０Ｄ２に当接し、かつ、外周部４Ｃが第２半径方向補正部１０Ｄ１に当接するように、第２レンズ４を第２レンズ保持部１０内に配置する。そして、第２レンズ４の被写体側の面４Ａの面取り部４Ａ３に当接するように、３つの第２弾性体１６を配置する。第２弾性体１６は、隣接する第２補正部１０Ｄの間にわたって、両端部がそれぞれ第２補正部１０Ｄの領域まで到達するように配置する。第２弾性体１６は、隣接する第２補正部１０Ｄの間にわたって、両端部がそれぞれ第２補正部１０Ｄの領域まで到達するように配置する。これにより、第２弾性体１６の両端部は、隣接する第２補正部１０Ｄの第２半径方向補正部１０Ｄ１の両方とオーバーラップしている。
【００３４】
次に、図６Ｂに示すように、第２レンズ保持部１０の第２先端部１０Ｃを加熱するとともに結像側に向かって半径方向内方に斜め方向に押圧し、第２先端部１０Ｃの被写体側が半径方向内方に位置するようにかしめ加工する。そして、第２先端部１０Ｃが第２弾性体１６を圧縮し、かつ、第２先端部１０Ｃが第２レンズ４の被写体側の面４Ａに当接しないような状態まで第２先端部１０Ｃが変形した時点で加熱を終了する。第２先端部１０Ｃが冷却されることにより、第２先端部１０Ｃが変形した状態で硬化し、第２取付構造２２が構築される。
【００３５】
次に、図６Ｃに示すように、第１レンズ２の結像側の面２Ｂの平坦面部２Ｂ２が、レンズ枠６の第１レンズ保持部８の第１光軸方向補正部８Ｄ２に当接し、かつ、外周部２Ｃが第１半径方向補正部８Ｄ１に当接するように、第１レンズ２を第１レンズ保持部８内に配置する。そして、第１レンズ２の被写体側の面２Ａの面取り部２Ａ２に当接するように、３つの第１弾性体１４を配置する。第１弾性体１４は、隣接する第１補正部８Ｄの間にわたって、両端部がそれぞれ第１補正部８Ｄの領域まで到達するように配置する。これにより、第１弾性体１４の両端部は、隣接する第１補正部８Ｄの第１半径方向補正部８Ｄ１の両方とオーバーラップしている。
【００３６】
次に、第１レンズ保持部８の第１先端部８Ｃを加熱するとともに結像側に向かって半径方向内方に斜め方向に押圧し、第１先端部８Ｃの被写体側が半径方向内方に位置するようにかしめ加工する。そして、第１先端部８Ｃが第１弾性体１４を圧縮し、かつ、第１先端部８Ｃが第１レンズ２の被写体側の面２Ａに当接しないような状態まで第１先端部８Ｃが変形した時点で加熱を終了する。第１先端部８Ｃが冷却されることにより、第２先端部１０Ｃが変形した状態で硬化し、第１取付構造２０が構築される。
以上の工程により、図１及び図２に示す状態の第１実施形態のレンズユニット１を組み立てることができる。
【００３７】
本実施形態によれば、以下の効果が奏される。
本実施形態では、第１先端部８Ｃが、第１レンズ２との間に第１弾性体１４を挟み込んだ状態で、第１レンズ２に当接することなく、第１弾性体１４を介して第１レンズ２を押えるため、第１弾性体１４により押圧力が吸収され、第１レンズ２の光学性能が損なわれることがなく、十分な力で押圧することができる。また、面取り部２Ａ２において押圧しているため、第１レンズ２に第１弾性体１４を当接するための部位を設ける必要がなく、レンズ鏡筒を大径にする必要がない。また、第２先端部１０Ｃが、第２レンズ４との間に第２弾性体１６を挟み込んだ状態で、第２レンズ４に当接することなく、第２弾性体１６を介して第２レンズ４を押えるため、第２弾性体１６により押圧力が吸収され、第２レンズ４の光学性能が損なわれることがなく、十分な力で押圧することができる。また、面取り部４Ａ３において押圧しているため、第２レンズ４に第２弾性体１６を当接するための部位を設ける必要がなく、レンズ鏡筒を大径にする必要がない。
【００３８】
また、本実施形態では、第１弾性体１４は、周方向に隣接する第１半径方向補正部８Ｄ１の間を延び、かつ、部分的に周方向に隣接する第１半径方向補正部８Ｄ１の両方とオーバーラップするように配置されているため、第１半径方向補正部８Ｄ１が設けられていても、レンズ枠６と第１レンズ２との間が第１弾性体１４で塞がれるため、塵や水が隙間から入り込むのを防止できる。
【００３９】
また、本実施形態では、レンズ枠６の被写体側の第１先端部８Ｃ及び第２先端部１０Ｃが第１及び第２弾性体１４、１６に当接するようにかしめ加工されて、第１先端部８Ｃ及び第２先端部１０Ｃが第１及び第２弾性体１４、１６を介して第１及び第２レンズ２、４を押えている。上記の通り、第１先端部８Ｃ及び第２先端部１０Ｃが第１及び第２レンズ２、４に当接することなく、第１及び第２弾性体１４、１６を介して第１及び第２レンズ２、４を押えるため、第１先端部８Ｃ及び第２先端部１０Ｃをかしめ加工により形成しても第１及び第２レンズ２、４を変形させることがない。
【００４０】
（第２実施形態）
以下、本発明の第２実施形態のレンズの取付構造によりレンズがレンズ枠に取り付けられたレンズユニットについて図面を参照しながら、詳細に説明する。以下の説明において、第１実施形態と同様の構成については、同じ符号を付して詳細な説明を省略する。
【００４１】
図７は、本発明の第２実施形態によるレンズユニットを示す斜視図である。図８Ａは、図７に示すレンズユニットの部分縦断面図であり、図８Ｂは図８ＡにおけるＢ部の拡大図である。また、図９は図７に示すレンズユニットに用いられるレンズ押え部材を示す斜視図である。第２実施形態のレンズユニットは、第１取付構造及び第２取付構造の第１レンズ及び第２レンズを被写体側から押える構成が第１実施形態と異なり、その他の構成は第１実施形態と同様である。
【００４２】
図７、図８Ａ、及び図８Ｂに示すように、本実施形態のレンズユニット１０１は、レンズ枠１０６と、レンズ枠１０６の被写体側に取り付けられた第１レンズ２と、レンズ枠１０６の被写体側に取り付けられた第２レンズ４と、を備える。本実施形態のレンズユニットは、例えば、レンズ鏡筒や撮像器に取りけられて光学系を構成するものである。第１レンズ２及び第２レンズ４は、第１取付構造１２０及び第２取付構造１２２によりレンズ枠６に取り付けられている。
第１レンズ２及び第２レンズ４の構成は第１実施形態と同様である。
【００４３】
図８Ａに示すように、レンズ枠１０６は、第１レンズ２を保持する第１レンズ保持部１０８と、第２レンズ４を保持する第２レンズ保持部１１０と、第１レンズ保持部１０８と第２レンズ保持部１１０とを連結する連結部１２と、を備える。本実施形態においても、第１レンズ保持部１０８と、第２レンズ保持部１１０と、連結部１２とは、例えば、樹脂などにより一体に成形されている。
【００４４】
第１レンズ保持部８は、円筒状に形成された第１円筒部１０８Ａと、第１円筒部１０８Ａの被写体側に連続する円環状の第１座部１０８Ｂと、第１円筒部１０８Ａの被写体側の面に立設された３つの第１取付部１０８Ｃと、周方向に間隔をあけて形成された３つの第１補正部（図示せず）と、を含む。本実施形態の第１円筒部１０８Ａ、第１座部１０８Ｂ及び第１補正部の構成は、第１実施形態の第１円筒部８Ａ、第１座部８Ｂ、及び第１補正部８Ｄの構成と同様である。図７に示すように、第１取付部１０８Ｃは周方向に等しい角度間隔で立設されており、円柱状に形成されている。
【００４５】
第２レンズ保持部１１０は円筒状に形成された第２円筒部１１０Ａと、第２円筒部１１０Ａの被写体側に連続する円環状の第２座部１１０Ｂと、第２円筒部１１０Ａの被写体側の面に立設された３つの第２取付部１１０Ｃと、周方向に間隔をあけて形成された３つの第２補正部（図示せず）と、を含む。本実施形態の第２円筒部１１０Ａ、第２座部１１０Ｂ及び第２補正部の構成は、第１実施形態の第２円筒部１０Ａ及び第２座部１０Ｂ、及び第２補正部１０Ｄの構成と同様である。第２取付部１１０Ｃも第１取付部１０８Ｃと同様に、周方向に等しい角度間隔で立設されており、円柱状に形成されている。
【００４６】
次に、第１レンズ２をレンズ枠１０６の第１レンズ保持部１０８に取り付けるための第１取付構造１２０について説明する。第１実施形態と同様に、第１取付構造１２０において、第１レンズ２はレンズ枠６の第１レンズ保持部１０８内に支持されている。なお、第１レンズ２が第１レンズ保持部１０８内に配置された状態で、第１レンズ２の外周部２Ｃ及び結像側の面２Ｂの平坦面部２Ｂ２が、それぞれ、第１半径方向補正部８Ｄ１及び第１光軸方向補正部８Ｄ２に当接されることで第１レンズ２は支持されている。また、第１レンズ２の面取り部２Ａ２に当接するように３つの第１弾性体１４が配置されている。そして、レンズ枠１０６の第１円筒部１０８Ａの被写体側の面に円環状の第１レンズ押え部材１２４が取り付けられ、第１レンズ押え部材１２４と面取り部２Ａ２との間に第１弾性体１４が挟み込まれた状態で、第１レンズ押え部材１２４が第１弾性体１４を介して第１レンズ２を結像側に押え込むことにより、第１取付構造１２０により第１レンズ２がレンズ枠１０６に取り付けられている。なお、本実施形態における第１弾性体１４の構成及び配置は、第１実施形態と同様である。
【００４７】
図９は、図７に示すレンズユニットにおける第１レンズ押え部材を示す斜視図である。図９に示すように、第１レンズ押え部材１２４は円環状の平坦な部材により構成される。第１レンズ押え部材１２４の材料としては、例えば、樹脂などを採用することができる。第１レンズ押え部材１２４には、等しい角度間隔で円形の第１開口１２４Ａが形成されている。第１レンズ押え部材１２４の内径は、第１レンズ２の光学機能面２Ａ１の直径よりも大きく、第１レンズ２の面取り部２Ａ２の外径よりも小さい。第１レンズ保持部１０８の第１取付部１０８Ｃが第１開口１２４Ａを挿通した状態で、第１レンズ押え部材１２４の結像側の面と第１円筒部１０８Ａの被写体側の面とが接着剤で接着されることにより、第１レンズ押え部材１２４がレンズ枠１０６に取り付けられている。
【００４８】
図８Ｂに示すように、第１弾性体１４は、第１レンズ２の被写体側の面２Ａの面取り部２Ａ２と、第１レンズ保持部１０８の第１円筒部１０８Ａの内周面に当接した状態で、被写体側から第１レンズ押え部材１２４により半径方向内方、かつ、結像側に向かって押え込まれている。なお、第１レンズ押え部材１２４は、第１弾性体１４が設けられていない領域においても第１レンズ２には当接しておらず、第１レンズ押え部材１２４と第１レンズ２の面取り部２Ａ２との間には、隙間が形成されている。このように、第１レンズ押え部材１２４は、第１レンズ２に当接することなく、第１弾性体１４を介して第１レンズ２を押えている。
【００４９】
次に、第２レンズ４をレンズ枠１０６の第２レンズ保持部１１０に取り付けるための第２取付構造１２２について説明する。第１実施形態と同様に、第２取付構造１２２において、第２レンズ４はレンズ枠１０６の第２レンズ保持部１１０内に支持されている。なお、第２レンズ４が第２レンズ保持部１１０内に配置された状態で、第２レンズ４の外周部４Ｃ及び結像側の面４Ｂの平坦面部４Ｂ２が、それぞれ、第２半径方向補正部及び第１光軸方向補正部に当接されることで第２レンズ４は支持されている。また、第２レンズ４の面取り部４Ａ３に当接するように３つの第２弾性体１６が配置されている。そして、レンズ枠１０６の第１円筒部１０８Ａの被写体側の面に円環状の第１レンズ押え部材１２４が取り付けられ、第２レンズ押え部材１２６と面取り部４Ａ３との間に第２弾性体１６が挟み込まれた状態で、第２レンズ押え部材１２６が第２弾性体１６を介して第２レンズ４を結像側に押え込むことにより、第２取付構造１２２により第２レンズ４がレンズ枠１０６に取り付けられている。なお、本実施形態における第２弾性体１６の構成及び配置は、第１実施形態と同様である。
【００５０】
第２レンズ押え部材１２６は、第１レンズ押え部材１２４と同様に円環状の平坦な部材により構成される。第２レンズ押え部材１２６の材料としては、例えば、樹脂などを採用することができる。第２レンズ押え部材１２６には、等しい角度間隔で円形の第２開口１２６Ａが形成されている。第２レンズ押え部材１２６の内径は、第２レンズ４の光学機能面４Ａ１の直径よりも大きく、第２レンズ４の面取り部４Ａ３の外径よりも小さい。第２レンズ保持部１１０の第２取付部１１０Ｃが第２開口１２６Ａを挿通した状態で、第２レンズ押え部材１２６の結像側の面と第２円筒部１１０Ａの被写体側の面とが接着剤で接着されることにより、第２レンズ押え部材１２６がレンズ枠１０６に取り付けられている。
【００５１】
第２弾性体１６は、第２レンズ４の被写体側の面４Ａの面取り部４Ａ３と、第２レンズ保持部１１０の第２円筒部１１０Ａの内周面に当接した状態で、被写体側から第２レンズ押え部材１２６により半径方向内方、かつ、結像側に向かって押え込まれている。なお、第２レンズ押え部材１２６は、第２弾性体１６が設けられていない領域においても第２レンズ４には当接しておらず、第２レンズ押え部材１２６と第２レンズ４の面取り部４Ａ３との間には、隙間が形成されている。このように、第２レンズ押え部材１２６は、第２レンズ４に当接することなく、第２弾性体１６を介して第２レンズ４を押えている。
【００５２】
なお、第２実施形態によるレンズユニット１０１は、第１実施形態のレンズユニット１の組み立て方法における第２先端部１０Ｃをかしめ加工する工程に代えて、第２レンズ押え部材１２６を第２レンズ保持部１１０に取り付ける工程を行い、第１先端部８Ｃをかしめ加工する工程に代えて、第１レンズ押え部材１２４を第１レンズ保持部１０８に取り付ける工程を行うことにより、組み立てることができる。
【００５３】
本実施形態によれば、第１実施形態に加えて以下の効果が奏される。
本実施形態では、第１及び第２弾性体１４、１６に被写体側から当接するようにレンズ枠１０６に取り付けられた第１及び第２レンズ押え部材１２４、１２６により、第１及び第２レンズ２、４を押えているため、かしめ加工を行うことなく、第１及び第２弾性体１４、１６を押えることができ、第１及び第２レンズ２、４を変形させることがない。
【００５４】
（第３実施形態）
以下、本発明の第３実施形態のレンズの取付構造によりレンズがレンズ枠に取り付けられたレンズユニットについて図面を参照しながら、詳細に説明する。以下の説明において、第１及び第２実施形態と同様の構成については、同じ符号を付して詳細な説明を省略する。
【００５５】
図１０は、本発明の第３実施形態によるレンズユニットを示す斜視図である。図１１は、図１０に示すレンズユニットの部分縦断面図である。第３実施形態のレンズユニットは、第１取付構造及び第２取付構造における第１レンズ押え部材及び第２レンズ押え部材をレンズ枠に取り付ける構成のみが第２実施形態と異なり、その他の構成は第２実施形態と同様である。
【００５６】
図１０及び図１１に示すように、本実施形態のレンズユニット２０１は、レンズ枠２０６と、レンズ枠２０６の被写体側に取り付けられた第１レンズ２と、レンズ枠２０６の被写体側に取り付けられた第２レンズ４と、を備える。本実施形態のレンズユニットは、例えば、レンズ鏡筒や撮像器に取りけられて光学系を構成するものである。第１レンズ２及び第２レンズ４は、第１取付構造２２０及び第２取付構造２２２によりレンズ枠６に取り付けられている。
【００５７】
第１レンズ２及び第２レンズ４の構成は第２実施形態と同様である。
レンズ枠２０６の構成は、第１レンズ保持部２０８の第１取付部２０８Ｃの構成及び、第２レンズ保持部２１０の第２取付部２１０Ｃの構成を除き、第２実施形態と同様である。
【００５８】
図１０に示すように、第１取付部２０８Ｃは周方向に等しい角度間隔で立設されており、円柱状の基部２０８Ｃ１と、平坦な円板状の先端部２０８Ｃ２と、を有する。先端部２０８Ｃ２はかしめ加工により変形されて円盤状になっており、かしめ加工が施される前は、基部２０８Ｃ１と同径の円柱状である。第２取付部２１０Ｃも第１取付部２０８Ｃと同様に、周方向に等しい角度間隔で立設されており、円柱状に形成されている。先端部２１０Ｃ２はかしめ加工により変形されて円盤状になっており、かしめ加工が施される前は、基部２１０Ｃ１と同径の円柱状である。
【００５９】
本実施形態では、第１レンズ押え部材１２４は、第１レンズ押え部材１２４の第１開口１２４Ａを第１取付部２０８Ｃの基部２０８Ｃ１が挿通した状態で、第１レンズ押え部材１２４が第１取付部２０８Ｃの先端部２０８Ｃ２と第１円筒部１０８Ａの被写体側の面とにより挟まれることにより、レンズ枠２０６に取り付けられている。本実施形態においても、第２実施形態と同様に、第１レンズ押え部材１２４と面取り部２Ａ２との間に第１弾性体１４が挟み込まれた状態で、第１レンズ押え部材１２４が第１弾性体１４を介して第１レンズ２を結像側に押え込むことにより、第１取付構造１２０により第１レンズ２がレンズ枠１０６に取り付けられている。なお、第１レンズ押え部材１２４は、第１弾性体１４が設けられていない領域においても第１レンズ２には当接しておらず、第１レンズ押え部材１２４と第１レンズ２の面取り部２Ａ２との間には、隙間が形成されている。このように、第１レンズ押え部材１２４は、第１レンズ２に当接することなく、第１弾性体１４を介して第１レンズ２を押えている。
【００６０】
また、第２レンズ押え部材１２６は、第２レンズ押え部材１２６の第２開口１２６Ａを第２取付部２１０Ｃの基部２１０Ｃ１が挿通した状態で、第２レンズ押え部材１２６が第２取付部２１０Ｃの先端部２１０Ｃ２と第２円筒部１１０Ａの被写体側の面とにより挟まれることにより、レンズ枠２０６に取り付けられている。本実施形態においても、第２実施形態と同様に、第２レンズ押え部材１２６と面取り部４Ａ３との間に第２弾性体１６が挟み込まれた状態で、第２レンズ押え部材１２６が第２弾性体１６を介して第２レンズ４を結像側に押え込むことにより、第２取付構造１２２により第２レンズ４がレンズ枠１０６に取り付けられている。なお、第２レンズ押え部材１２６は、第２弾性体１６が設けられていない領域においても第２レンズ４には当接しておらず、第２レンズ押え部材１２６と第２レンズ４の面取り部４Ａ３との間には、隙間が形成されている。このように、第２レンズ押え部材１２６は、第２レンズ４に当接することなく、第２弾性体１６を介して第２レンズ４を押えている。
【００６１】
第３実施形態によるレンズユニット２０１は、第２実施形態のレンズユニット１０１の組み立て方法における第２レンズ押え部材１２６を第２レンズ保持部１１０に接着する工程に代えて、第２取付部２１０Ｃの円柱状の先端部２１０Ｃ２をかしめ加工により第２レンズ押え部材１２６の被写体側の面に当接するような円盤状に変形させる工程を行い、第１レンズ押え部材１２４を第１レンズ保持部１０８に接着する工程に代えて、第１取付部２０８Ｃの円柱状の先端部２０８Ｃ２をかしめ加工により第１レンズ押え部材１２４の被写体側の面に当接するような円盤状に変形させる工程を行えばよい。
【００６２】
本実施形態によっても第２実施形態と同様の効果が奏される。
【００６３】
（第４実施形態）
以下、本発明の第４実施形態のレンズの取付構造によりレンズがレンズ枠に取り付けられたレンズユニットについて図面を参照しながら、詳細に説明する。以下の説明において、第１〜３実施形態と同様の構成については、同じ符号を付して詳細な説明を省略する。
【００６４】
図１２は、本発明の第４実施形態によるレンズユニットを示す斜視図である。図１３は、図１２に示すレンズユニットの部分縦断面図である。第４実施形態のレンズユニットは、第１取付構造及び第２取付構造における第１レンズ押え部材及び第２レンズ押え部材をレンズ枠に取り付ける構成のみが第２実施形態と異なり、その他の構成は第２実施形態と同様である。
【００６５】
図１２及び図１３に示すように、本実施形態のレンズユニット３０１は、レンズ枠３０６と、レンズ枠３０６の被写体側に取り付けられた第１レンズ２と、レンズ枠３０６の被写体側に取り付けられた第２レンズ４と、を備える。本実施形態のレンズユニットは、例えば、レンズ鏡筒や撮像器に取りけられて光学系を構成するものである。第１レンズ２及び第２レンズ４は、第１取付構造３２０及び第２取付構造３２２によりレンズ枠３０６に取り付けられている。
【００６６】
レンズ枠３０６の構成は、第１レンズ保持部３０８が第１ねじ穴３０８Ｅを備える点、及び、第２レンズ保持部３１０が第２ねじ穴３１０Ｅを備える点を除き、第２実施形態と同様である。
【００６７】
第１レンズ２及び第２レンズ４の構成は第１実施形態と同様である。
第１レンズ保持部３０８の第１円筒部１０８Ａの被写体側の面には、周方向に間隔をあけて３つの第１ねじ穴３０８Ｅが形成されている。第１ねじ穴３０８Ｅと、第１取付部１０８Ｃとは、光軸を中心とした同一円周上に交互に、周方向に等しい間隔をあけて形成されている。
【００６８】
第２レンズ保持部３１０の第２円筒部１１０Ａの被写体側の面には、周方向に間隔をあけて３つの第２ねじ穴３１０Ｅが形成されている。第２ねじ穴３１０Ｅと、第２取付部１１０Ｃとは、光軸を中心とした同一円周上に交互に、周方向に等しい間隔をあけて形成されている。
【００６９】
図１４は、図１２に示すレンズユニットにおける第１レンズ押え部材を示す斜視図である。本実施形態における第１レンズ押え部材３２４は、第１開口１２４Ａに加えて、３つの第１ねじ用開口３２４Ｂを備える点で、第２実施形態の第１レンズ押え部材１２４と異なっている。第１ねじ用開口３２４Ｂは円形の開口であり、周方向に等角度間隔で形成されている。第１開口１２４Ａと、第１ねじ用開口３２４Ｂとは、同一円周上に形成されている。
【００７０】
これと同様に、本実施形態における第２レンズ押え部材３２６は、第２開口１２６Ａに加えて、３つの第２ねじ用開口３２６Ｂを備える点で、第２実施形態の第２レンズ押え部材１２６と異なっている。第２ねじ用開口３２６Ｂは円形の開口であり、周方向に等角度間隔で形成されている。第２開口１２６Ａと、第１ねじ用開口３２６Ｂとは、同一円周上に形成されている。
【００７１】
本実施形態では、第１レンズ押え部材３２４は、第１レンズ押え部材３２４の第１開口１２４Ａに第１取付部１０８Ｃが挿通した状態で、第１ねじ３２８を第１レンズ押え部材３２４の第１ねじ用開口３２４Ｂを挿通させ、第１レンズ保持部３０８の第１ねじ穴３０８Ｅに締め付けることにより、レンズ枠３０６に取り付けられている。本実施形態においても、第２実施形態と同様に、第１レンズ押え部材３２４と面取り部２Ａ２との間に第１弾性体１４が挟み込まれた状態で、第１レンズ押え部材３２４が第１弾性体１４を介して第１レンズ２を結像側に押え込むことにより、第１取付構造３２０により第１レンズ２がレンズ枠３０６に取り付けられている。なお、第１レンズ押え部材３２４は、第１弾性体１４が設けられていない領域においても第１レンズ２には当接しておらず、第１レンズ押え部材３２４と第１レンズ２の面取り部２Ａ２との間には、隙間が形成されている。このように、第１レンズ押え部材３２４は、第１レンズ２に当接することなく、第１弾性体１４を介して第１レンズ２を押えている。
【００７２】
また、第２レンズ押え部材３２６は、第２レンズ押え部材３２６の第２開口１２６Ａに第２取付部１１０Ｃが挿通した状態で、第２ねじ３３０を第２レンズ押え部材３２６の第２ねじ用開口３２６Ｂを挿通させ、第２レンズ保持部３１０の第２ねじ穴３１０Ｅに締め付けることにより、レンズ枠３０６に取り付けられている。本実施形態においても、第２実施形態と同様に、第２レンズ押え部材３２６と面取り部４Ａ３との間に第２弾性体１６が挟み込まれた状態で、第２レンズ押え部材３２６が第２弾性体１６を介して第２レンズ４を結像側に押え込むことにより、第２取付構造３２２により第２レンズ４がレンズ枠３０６に取り付けられている。なお、第２レンズ押え部材３２６は、第２弾性体１６が設けられていない領域においても第２レンズ４には当接しておらず、第２レンズ押え部材３２６と第２レンズ４の面取り部４Ａ３との間には、隙間が形成されている。このように、第２レンズ押え部材３２６は、第２レンズ４に当接することなく、第２弾性体１６を介して第２レンズ４を押えている。
【００７３】
第４実施形態によるレンズユニット３０１は、第２実施形態のレンズユニット１０１の組み立て方法における第２レンズ押え部材１２６を第２レンズ保持部１１０に接着する工程に代えて、第２レンズ押え部材３２６を第２開口１２６Ａに第２取付部１１０Ｃが挿通するように配置し、第２ねじ３３０を第２レンズ押え部材３２６の第１ねじ用開口３２６Ｂを挿通させ、第２レンズ保持部３１０の第２ねじ穴３１０Ｅに締め付ける工程を行い、第１レンズ押え部材１２４を第１レンズ保持部１０８に接着する工程に代えて、第１レンズ押え部材３２４を第１開口１２４Ａに第１取付部１０８Ｃが挿通するように配置し、第１ねじ３２８を第１レンズ押え部材３２４の第１ねじ用開口３２４Ｂを挿通させ、第１レンズ保持部３０８の第２ねじ穴３０８Ｅに締め付ける工程を行えばよい。
【００７４】
本実施形態によっても第２実施形態と同様の効果が奏される。
【００７５】
なお、上記の各実施形態では、第１レンズ保持部に第１補正部８Ｄを設け、第２レンズ保持部に第２補正部１０Ｄを設けているが、第１補正部８Ｄ及び第２補正部１０Ｄは省略することができる。この場合、第１弾性体１４及び第２弾性体１６は面取り部２Ａ２、４Ａ３の全周にわたって当接するように設けるのが好ましい。このような構成によっても、レンズ枠とレンズ２，４との間が弾性体１４、１６で塞がれるため、塵や水が隙間から入り込むのを防止できる。また、第１補正部８Ｄ及び第２補正部１０Ｄを設けたうえで第１弾性体１４及び第２弾性体１６を面取り部２Ａ２、４Ａ３の全周にわたって当接するように設けることもできる。これによれば、第１補正部８Ｄ及び第２補正部１０Ｄによりレンズのレンズ枠に対する半径方向の位置を保持しつつ、第１弾性体１４及び第２弾性体１６を介して第１レンズ２及び第２レンズ４を押さえて保持することができる。
【００７６】
また、本実施形態では、レンズ枠６、１０６、２０６、３０６に第１レンズ２及び第２レンズ４を取り付ける場合について説明したが、レンズ枠に１枚のレンズのみを取り付ける場合や、３枚以上のレンズを取り付ける場合であっても、本発明を適用できる。
【００７７】
また、本実施形態では、第１レンズ２の面取り部２Ａ２に第１弾性体１４を当接させ、第２レンズ４の面取り部４Ａ３に第２弾性体１６を当接させているが、第１弾性体１４及び第２弾性体１６に代えて接着剤を用いることも可能である。この場合には、接着剤は硬化した状態で弾性を有するものを用いることが好ましい。
【符号の説明】
【００７８】
１          レンズユニット
２          第１レンズ
２Ａ        被写体側の面
２Ａ１      光学機能面
２Ａ２      面取り部
２Ｂ        結像側の面
２Ｂ１      光学機能面
２Ｂ２      平坦面部
２Ｃ        外周部
４          第２レンズ
４Ａ        被写体側の面
４Ａ１      光学機能面
４Ａ２      平坦面部
４Ａ３      面取り部
４Ｂ        結像側の面
４Ｂ１      光学機能面
４Ｂ２      平坦面部
４Ｃ        外周部
６          レンズ枠
８          第１レンズ保持部
８Ａ        第１円筒部
８Ｂ        第１座部
８Ｃ        第１先端部
８Ｄ        第１補正部
８Ｄ１      第１半径方向補正部
８Ｄ２      第１光軸方向補正部
１０        第２レンズ保持部
１０Ａ      第２円筒部
１０Ｂ      第２座部
１０Ｃ      第２先端部
１０Ｄ      第２補正部
１０Ｄ１    第２半径方向補正部
１０Ｄ２    第２光軸方向補正部
１２        連結部
１４        第１弾性体
１６        第２弾性体
２０        第１取付構造
２２        第２取付構造
１０１      レンズユニット
１０６      レンズ枠
１０８      第１レンズ保持部
１０８Ａ    第１円筒部
１０８Ｂ    第１座部
１０８Ｃ    第１取付部
１１０      第２レンズ保持部
１１０Ａ    第２円筒部
１１０Ｂ    第２座部
１１０Ｃ    第２取付部
１２０      第１取付構造
１２２      第２取付構造
１２４      第１レンズ押え部材
１２４Ａ    第１開口
１２６      第２レンズ押え部材
１２６Ａ    第２開口
２０１      レンズユニット
２０６      レンズ枠
２０８      第１レンズ保持部
２０８Ｃ    第１取付部
２０８Ｃ１  基部
２０８Ｃ２  先端部
２１０      第２レンズ保持部
２１０Ｃ    第２取付部
２１０Ｃ１  基部
２１０Ｃ２  先端部
２２０      第１取付構造
２２２      第２取付構造
３０１      レンズユニット
３０６      レンズ枠
３０８      第１レンズ保持部
３０８Ｅ    第１ねじ穴
３１０      第２レンズ保持部
３１０Ｅ    第２ねじ穴
３２０      第１取付構造
３２２      第２取付構造
３２４      第１レンズ押え部材
３２４Ｂ    ねじ用開口
３２６      第２レンズ押え部材
３２６Ｂ    ねじ用開口
【図１】
2020187218.tif 000003
【図２】
2020187218.tif 000004
【図３Ａ】
2020187218.tif 000005
【図３Ｂ】
2020187218.tif 000006
【図４Ａ】
2020187218.tif 000007
【図４Ｂ】
2020187218.tif 000008
【図４Ｃ】
2020187218.tif 000009
【図４Ｄ】
2020187218.tif 000010
【図５】
2020187218.tif 000011
【図６Ａ】
2020187218.tif 000012
【図６Ｂ】
2020187218.tif 000013
【図６Ｃ】
2020187218.tif 000014
【図７】
2020187218.tif 000015
【図８Ａ】
2020187218.tif 000016
【図８Ｂ】
2020187218.tif 000017
【図９】
2020187218.tif 000018
【図１０】
2020187218.tif 000019
【図１１】
2020187218.tif 000020
【図１２】
2020187218.tif 000021
【図１３】
2020187218.tif 000022
【図１４】
2020187218.tif 000023